(57)【要約】【課題】原稿送信にかかる時間、回線を占有しないファクシミリ装置を提供する。【解決手段】通信回線を使用して画像データを送信する画像送信装置において、上記画像データの送信の中断をユーザが指示するための中断指示手段７１と、上記中断指示手段７１からの中断指示に応答して上記画像データの送信を中断する中断手段７５と、上記中断指示により中断された上記画像データの送信中断位置を特定するための中断位置特定情報を覚えておく中断位置記憶手段７４と、上記中断位置記憶手段７４に記憶された中断位置特定情報に基づき上記画像データの送信されていない部分の送信を再開する再開手段７５とを備える。【選択図】  図３
2004356826.tif 000002
【特許請求の範囲】
【請求項１】
通信回線を使用して画像データを送信する画像送信装置において、
上記画像データの送信の中断をユーザが指示するための中断指示手段と、
上記中断指示手段からの中断指示に応答して上記画像データの送信を中断する中断手段と、
上記中断指示により中断された上記画像データの送信中断位置を特定するための中断位置特定情報を覚えておく中断位置記憶手段と、
上記中断位置記憶手段に記憶された中断位置特定情報に基づき上記画像データの送信されていない部分の送信を再開する再開手段とを備えることを特徴とする画像送信装置。
【請求項２】
上記送信再開をユーザが指示するための再開指示手段を更に備え、上記再開指示手段は上記再開指示を受けたときに上記再開手段を起動することを特徴とする請求項１に記載の画像送信装置。
【請求項３】
上記送信中断から上記送信再開までの時間として設定された送信中断時間が経過したことを測定し、上記送信中断時間が経過したときに上記再開手段を起動する中断時間測定手段を更に備えることを特徴とする請求項１に記載の画像送信装置。
【請求項４】
上記送信中断時間をユーザが設定するための中断時間設定手段を更に備えることを特徴とする請求項３に記載の画像送信装置。
【請求項５】
上記送信中断後に送信が開始された上記画像データ以外の画像データの送信が終了したことを契機に上記再開手段が起動されることを特徴とする請求項１に記載の画像送信装置。
【請求項６】
上記送信を行う画像データの上記画像送信装置への入力媒体である送信原稿の総枚数が所定の枚数以下の場合には上記送信中断を行わないことを決定する中断決定手段を更に備え、上記中断手段は上記中断決定手段の決定に基づき上記中断を行わないことを決定することを特徴とする請求項１〜５のいずれかに記載の画像送信装置。
【請求項７】
上記所定の枚数をユーザが設定するための閾値設定手段を更に備えることを特徴とする請求項６に記載の画像送信装置。
【請求項８】
上記画像データの送信の中断状態を上記画像データの受信者が識別するための中断情報を上記画像データに付加して送信する中断情報付加手段を更に備えることを特徴とする請求項１〜７のいずれかに記載の画像送信装置。
【発明の詳細な説明】
【０００１】
【発明の属する技術分野】
本発明は、通信回線を使用して画像を送信する画像送信装置に関する。
【０００２】
【従来の技術】
従来のファクシミリ装置のための送信量表示方式には、原稿から読み取った画データの読取ライン数を計算する読取ライン計算部、画データの送信した送信ライン数を計算する送信ライン計算部、および読取ライン数、送信ライン数、送信ページ数などを表示する表示処理部を有し、原稿から読み取った画データをメモリに格納すると共に読取ライン計算部が読取ライン数を計算し、送信ライン計算部が送信した画データの送信ライン数を計算し、表示処理部が現在送信中の原稿のページ単位より更に細分化した送信ライン数、残り送信ライン数、ページ内送信量のイメージなどをリアルタイムで表示することにより、原稿のページ内のいずれの部分を送信中かを判り易く表示するものがある（例えば、特許文献１参照）。
【０００３】
また、従来のファクシミリ通信システムには、送信側ファクシミリ装置が、所定の非標準プロトコルを用いて送信すべき文書の文書量に関する予告情報を送信する送信手段と、受信側ファクシミリ装置が、所定の非標準プロトコルを用いて上記送信すべき文書の上記文書量に関する予告情報を受信する受信手順と、上記受信手順が受信した文書量に関する予告情報および受信経過に伴う受信文書量に関する情報を記憶する記憶手段と、上記文書の受信開始後受信経過に伴い、上記記憶手段に記憶された受信文書量に関する情報を更新する更新手段と、上記ユーザから受信経過情報の表示指示を受け付けた場合、上記文書量に関する予告情報および上記受信文書量に関する情報をもとに、上記受信経過情報を算出して上記表示部に表示させる表示管理手段とを具備し、送信すべき文書の画像データを受信側ファクシミリ装置に送信する前に、送信すべき文書の総送信ページ数、総送信バイト数等を予告情報として送信し、受信側ファクシミリ装置は、この予告情報と、通信モードが示す通信回線速度と、受信経過に伴う受信ページ数、受信バイト数とをもとに、少なくとも受信ページ数割合、受信完了率、および残り受信時間を有する受信経過情報をユーザの表示指示により表示部に表示するもの（例えば、特許文献２参照）がある。
【０００４】
【特許文献１】
特開平５−３２７９８８号公報
【特許文献２】
特開平１０−２８２１６号公報
【０００５】
【発明が解決しようとする課題】
上記従来技術では、送信している画像データがどこまで送信済みであるかという情報や送信完了までに後どのぐらいの時間が必要かという情報が取得できるため、画像データの送信中に異なる画像データの送信を行いたい場合には、送信中データの重要度と送信完了までの時間を考慮して送信中の送信を中止し他の画像データの送信を行うか否かを決定できた。しかしながら、上記の場合にでも他の画像データを送信する場合には送信中の送信を中止するしかなく、中止された送信に対しての送信再開のためには再度送信相手先ＦＡＸ番号の入力等を行わなければならなかった。
【０００６】
本発明は、上記問題点を解決するためになされたものであり、画像データの送信を途中で中断しその中断個所や送信相手先ＦＡＸ番号等を画像送信装置内に記憶しておき中断再開の際に自動的に相手先ファクシミリ装置に回線接続し上記中断個所から送信を再開することで、１回の送信が長時間に渡って回線を占有することを防ぎ、１つの画像データの送信中に他から送信された画像データの受信や、他の画像データの送信を割り込むことが出来るようにすることが目的である。
【０００７】
【課題を解決するための手段】
請求項１に係る画像送信装置は、通信回線を使用して画像データを送信する画像送信装置において、上記画像データの送信の中断をユーザが指示するための中断指示手段と、上記中断指示手段からの中断指示に応答して上記画像データの送信を中断する中断手段と、上記中断指示により中断された画像データの送信中断位置を特定するための中断位置特定情報を覚えておく中断位置記憶手段と、上記中断位置記憶手段に記憶された中断位置特定情報に基づき上記画像データの送信されていない部分の送信を再開する再開手段とを備える。この構成によれば、画像データの送信中にユーザの指示により上記送信を中断することができ、中断した送信の中断ページを特定するための情報を記憶しているので中断後のページから送信を再開できる。これにより画像データの送信中で他の画像データの送信を行いたい場合に上記他の送信を途中で割り込ませることや、画像データの送信途中に他から送信された画像データを受信することが出来る。また、画像送信装置が空くのを待つ必要がない。一旦中断した送信の再開を行うことを忘れることがない。送信を再開する場合に再度送信先の指定や、原稿読み込みを行う必要がない。
【０００８】
請求項２に係る画像送信装置は、上記構成に加えて、上記送信再開をユーザが指示するための再開指示手段を更に備え、上記再開指示手段は上記再開指示を受けたときに上記再開手段を起動する。この構成によれば、ユーザが上記再開指示を行うことにより再開する時期を決定できるので、送信中断を行う期間をユーザが決定することが出来る。
【０００９】
請求項３に係る画像送信装置は、上記構成に加えて、上記送信中断から上記送信再開までの時間として設定された送信中断時間が経過したことを測定し、上記送信中断時間が経過したときに上記再開手段を起動する中断時間測定手段を更に備える。この構成によれば、上記送信中断時間が経過したときに送信が自動的に再開されるので、再開時にユーザが再開を指示する必要がない。
【００１０】
請求項４に係る画像送信装置は、上記構成に加えて、上記送信中断時間をユーザが設定するための中断時間設定手段を更に備える。この構成によれば、上記送信中断時間をユーザが設定できるので、ユーザの要求により適合した送信中断時間を設定できる。
【００１１】
請求項５に係る画像送信装置は、上記構成において、上記送信中断後に送信が開始された上記画像データ以外の画像データの送信が終了したことを契機に上記再開手段が起動される。この構成によれば、上記送信中断後に開始された送信が終了したことを契機に上記中断中の送信が再開されるので、ユーザは送信再開時に送信の指示を与える必要がなく、かつ必要外の中断を行わないようにすることが出来る。
【００１２】
請求項６に係る画像送信装置は、上記構成に加えて、上記送信を行う画像データの上記画像送信装置への入力媒体である送信原稿の総枚数が所定の枚数以下の場合には上記送信中断を行わないことを決定する中断決定手段を更に備え、上記中断手段は上記中断決定手段の決定に基づき上記中断を行わないことを決定する。この構成によれば、上記所定の枚数以下の送信原稿に対しては送信中断を行わないので、比較的少ない枚数で送信に長時間費やされることのない場合にまで送信中断が行われてしまうことがない。
【００１３】
請求項７に係る画像送信装置は、上記構成に加えて、上記所定の枚数をユーザが設定するための閾値設定手段を更に備える。この構成によれば、上記所定の枚数をユーザが決定できるのでユーザの要求により適合した上記所定の枚数を設定することが出来る。
【００１４】
請求項８に係る画像送信装置は、上記構成において、上記画像データの送信の中断状態を上記画像データの受信者が認識するための中断情報を上記画像データに付加して送信する中断情報付加手段を更に備える。この構成によれば、送信の中断が行われた場合に、画像データの受信者が上記中断を認識するための情報を送信するので、送信の中断により画像データが途中までしか送られてきていないことに対する受信者の混乱等を防ぐことが出来る。
【００１５】
【発明の実施の形態】
以下、本発明の一実施の形態による画像送信装置であるファクシミリ装置の一例としてデジタル複合機について図面を参照しながら説明する。図１は、本発明の一実施の形態によるファクシミリ機能が組み込まれたデジタル複合機の機械的構成を主に示す側面概略図である。
【００１６】
デジタル複合機１は、スキャナ機能、ファクシミリ機能、プリンタ機能、及びコピー機能等の複合機能を備えたデジタル方式の複写機である。デジタル複合機１では、上記の各機能を組み合わせて種々の機能が実現される。
【００１７】
デジタル複合機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００１８】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザがコピー実行指令等を入力するために用いられ、テンキー４０３は、コピー部数等を入力するために用いられる。
【００１９】
原稿給送部６００は、原稿載置部６０１、原稿排出部６０２、給紙ローラ６０３及び原稿搬送部６０４等を備え、原稿読み取り部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００２０】
本体部２００は、複数の給紙カセット２０１、複数の給紙ローラ２０２、転写ローラ２０３、感光体ドラム２０４、露光装置２０５、現像装置２０６、定着ローラ２０７、排出口２０８、及び排出トレイ２０９等を備える。
【００２１】
感光体ドラム２０４は、矢印方向に回転しながら帯電装置（図示省略）によって一様に帯電される。露光装置２０５は、原稿読み取り部５００において読み取られた原稿の画像データに基づいて生成された変調信号をレーザ光に変換して出力し、感光体ドラム２０４に静電潜像を形成する。現像装置２０６は、所定の現像剤を感光体ドラム２０４に供給してトナー画像を形成する。
【００２２】
一方、給紙ローラ２０２は、用紙が収納された給紙カセット２０１から用紙を引き出し、転写ローラ２０３まで給送する。転写ローラ２０３は、搬送された用紙に感光体ドラム２０４上のトナー像を転写させ、定着ローラ２０７は、転写されたトナー像を加熱して用紙に定着させる。その後、用紙は、本体部２００の排出口２０８から用紙後処理部３００に搬入される。また、用紙は、必要に応じて排出トレイ２０９へも排出される。
【００２３】
用紙後処理部３００は、搬入口３０１、用紙搬送部３０２、搬出口３０３及びスタックトレイ３０４等を備える。用紙搬送部３０２は、排出口２０９から搬入口３０１に搬入された用紙を順次搬送し、最終的に搬出口３０３からスタックトレイ３０４へ用紙を排出する。スタックトレイ３０４は、搬出口３０３から搬出された用紙の集積枚数に応じて矢印方向に上下動可能に構成されている。
【００２４】
図２は、図１に示すデジタル複合機１の電気的構成を主に示すブロック図である。デジタル複合機１は、スキャナ部１１、画像処理部２１、プリンタ部３１、制御部４１、操作パネル部５１、ファクシミリ通信部６１、ネットワークＩ／Ｆ（インターフェース）部６２、パラレルＩ／Ｆ部６３、シリアルＩ／Ｆ部６４及びＨＤＤ（ハードディスクドライブ）６５を備える。
【００２５】
スキャナ部１１、画像処理部２１、制御部４１、操作パネル部５１及びネットワークＩ／Ｆ部６２は、図１に示す操作部４００、原稿読み取り部５００及び原稿給送部６００に相当し、これらの各部によりスキャナ機能が実現される。スキャナ部１１、画像処理部２１、プリンタ部３１、制御部４１、操作パネル部５１及びファクシミリ通信部６１は、図１に示す本体部２００、操作部４００、原稿読み取り部５００及び原稿給送部６００に相当し、これらの各部によりファクシミリ機能が実現される。画像処理部２１、プリンタ部３１、制御部４１、操作パネル部５１、ネットワークＩ／Ｆ部６２及びパラレルＩ／Ｆ部６３は、図１に示す本体部２００及び操作部４００に相当し、これらの各部によりプリンタ機能が実現される。スキャナ部１１、画像処理部２１、プリンタ部３１、制御部４１、操作パネル部５１及びネットワークＩ／Ｆ部６２は、図１に示す本体部２００、用紙後処理部３００、操作部４００、原稿読み取り部５００及び原稿給送部６００に相当し、これらの各部によりコピー機能が実現される。
【００２６】
操作パネル部５１は、図１に示すタッチパネル４０１等から構成されるタッチパネル部５２、及び図１に示すスタートキー４０２及びテンキー４０３等から構成される操作キー部５３を含む。操作パネル部５１は、ユーザがスキャナ機能、ファクシミリ機能、プリンタ機能、コピー機能等に関する操作を行うために使用され、ユーザによる操作指令等を制御部４１に与える。タッチパネル部５２は、タッチパネルとＬＣＤ（Ｌｉｑｕｉｄ  Ｃｒｙｓｔａｌ  Ｄｉｓｐｌａｙ）とを組み合わせたタッチパネルユニット等から構成され、種々の操作画面、例えば、コピー機能実行時には、原稿サイズ、コピーサイズ、印刷部数等に関する情報を表示するとともに、ユーザが当該部分をタッチすることにより種々の操作指令を入力するための操作ボタン等を表示する。操作キー部５３は、ユーザがコピー実行指令等を入力するために用いられる。
【００２７】
制御部４１は、スキャナコントローラ４２、ファクシミリコントローラ４３、プリンタコントローラ４４及びコピーコントローラ４５として機能する。制御部４１は、マイクロコンピュータ及び専用のハードウエア回路等から構成され、装置全体の動作を制御する。スキャナコントローラ４２は、スキャナ機能を実現するために用いられる各部の動作を制御する。ファクシミリコントローラ４３は、ファクシミリ機能を実現するために用いられる各部の動作を制御する。プリンタコントローラ４４は、プリンタ機能を実現するために用いられる各部の動作を制御する。コピーコントローラ４５は、コピー機能を実現するために用いられる各部の動作を制御する。
【００２８】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２９】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１、ファクシミリ通信部６１又はネットワークＩ／Ｆ部６２等へ出力する。補正部２２は、読み取られた画像データに対してレベル補正、Ｙ補正等の所定の補正処理を行う。画像加工部２３は、画像データの圧縮又は伸張処理、及び拡大又は縮小処理等の種々の加工処理を行う。
【００３０】
プリンタ部３１は、図１に示す給紙カセット２０１及び給紙ローラ２０２等から構成される用紙搬送部３２、図１に示す感光体ドラム２０４、露光装置２０５、現像装置２０６等から構成される画像形成部３３、図１に示す転写ローラ２０３等から構成される転写部３４、及び図１に示す定着ローラ２０７等から構成される定着部３５を含む。プリンタ部３１は、スキャナ部１１により読み取られた原稿データ、ネットワークＩ／Ｆ部６２を介してＬＡＮ（Ｌｏｃａｌ  Ａｒｅａ  Ｎｅｔｗｏｒｋ）によりクライアントＰＣ（パーソナルコンピュータ）等から送信された印刷データ、ファクシミリ通信部６１を用いて外部のファクシミリ装置等から受信したファクスデータ等の画像データを用いて画像を用紙に印刷する。具体的には、用紙搬送部３２は用紙を画像形成部３３へ搬送し、画像形成部３３は上記の画像データに対応するトナー像を形成し、転写部３４はトナー像を用紙に転写し、定着部３５はトナー像を用紙に定着させて画像を形成する。
【００３１】
ファクシミリ通信部６１は、符号化／復号化部（図示省略）、変復調部（図示省略）及びＮＣＵ（Ｎｅｔｗｏｒｋ  Ｃｏｎｔｒｏｌ  Ｕｎｉｔ）（図示省略）を含む。ファクシミリ通信部６１は、スキャナ部１１によって読み取られた原稿の画像データを電話回線を介してファクシミリ装置等へ送信したり、ファクシミリ装置等から送信された画像データを受信する。符号化／復号化部は、送信する画像データを圧縮・符号化し、受信した画像データを伸長・復号化する。変復調部は、圧縮・符号化された画像データを音声信号に変調したり、受信した信号（音声信号）を画像データに復調する。ＮＣＵは、送受信先となるファクシミリ装置等との電話回線による接続を制御する。
【００３２】
ネットワークＩ／Ｆ部６２は、ネットワークインタフェース（１０／１００Ｂａｓｅ−ＴＸ）等を用い、ＬＡＮを介して接続されたクライアントＰＣ等に対する種々のデータの送受信を制御し、例えば、クライアントＰＣ等から送信された印刷データ等を受信する。パラレルＩ／Ｆ部６３は、高速双方向パラレルインターフェイス（ＩＥＥＥ１２８４準拠）等を用い、複数の信号線を用いて複数ビット単位でデータを送信するパラレル伝送により外部機器等から印刷データ等を受信等する。シリアルＩ／Ｆ部６４は、シリアルインターフェイス（ＲＳ−２３２Ｃ）等を用い、単一の信号線を用いて１ビットずつ順次データを送るシリアル伝送により外部機器等から種々のデータ等を受信等する。
【００３３】
ＨＤＤ６５は、スキャナ部１１によって読み取られた画像データ及び当該画像データに設定されている出力形式等の種々のデータ等を記憶する。ＨＤＤ６５に記憶されている画像データは、デジタル複合機１内部で使用されるだけでなく、必要に応じて、ネットワークＩ／Ｆ部６２を介してクライアントＰＣ等から確認したり、クライアントＰＣ等の所定のフォルダへ転送される。
【００３４】
上記のように、デジタル複合機１は、スキャナ機能、ファクシミリ機能、プリンタ機能、コピー機能等の種々の機能を実行可能なように構成されており、ファクシミリ装置として使用することが出来る。本実施例においては、デジタル複合機１を特にファクシミリ装置として使用する。
【００３５】
図３は、図２に示す電気的構成のうち特にファクシミリ送信機能に係る部分である操作パネル部５１、スキャナ部１１、画像処理部２１、ファクシミリ通信部６１、および制御部４１と、上記制御部４１内のファクシミリコントローラ４３に係る機能構成を示すブロック図である。以下に上記制御部内の各機能に係る説明を行う。
【００３６】
操作パネル部５１は、ファクシミリ送信において、送信相手先のＦＡＸ番号の入力、ＦＡＸ送信指示の入力、送信中断指示および送信再開指示の入力、送信を中断することを可能とする送信原稿枚数の下限の入力に主に使用される。中断指示部７１は、ユーザが操作パネル部５１から入力した送信中断指示を操作パネル部５１から受け取り、送信制御部７５に中断信号を出力する。例えば操作パネル部５１に送信中断ボタンを設けそれを押すことによりユーザは送信中断指示を出す。
【００３７】
再開指示部７２は、ユーザが操作パネル部５１から入力した送信再開指示を操作パネル部５１から受け取り、送信制御部７５に再開信号を出力する。例えば操作パネル部５１に送信再開ボタンを設けそれを押すことによりユーザは送信再開指示を出す。閾値設定部７３は、ユーザが操作パネル部５１から入力した閾値としての原稿枚数を表す数を操作パネル部５１から受け取り、送信制御部７５からの指示により上記閾値を送信制御部７５に送信する。上記デジタル複合機１では、閾値として例えば９９９までの自然数を入力することが可能である。
【００３８】
中断ページ記憶部７４は、送信が中断された画像データの中断ページに関する情報を送信制御部７５から受け取り記憶する。また、送信制御部７５からの指示により上記中断ページ情報を送信制御部７５に渡す。例えば中断ページ記憶部７４は図４に示すようなスタックテーブルであり上記中断ページに関する情報を記憶しスタック形式（先入れ後出し）で出し入れする。ＦＡＸ番号８１には中断された画像データの送信相手先のＦＡＸ番号が格納される。画像データ８２には画像メモリ２４内に格納された中断中の送信に係る画像データへのリンク情報が格納される。中断ページ８３には画像データの送信中断により相手方に送信された最後のページのページ番号が格納される。
【００３９】
上記テーブルはスタックであるので格納された順番とは反対の順番で上記格納情報は取り出される。具体的には例えば最初の送信が中断された場合に中断ページ記憶部７４は当該送信に係る上記格納情報を送信制御部７５から受信し格納する。次に２番目の送信が中断されると２番目の送信に係る上記格納情報を送信制御部７５から受信し格納する。３番目の送信が終了すると中断ページ記憶部７４は上記２番目の送信に係る格納情報を送信制御部７５に渡し、上記２番目の送信に係る格納情報を上記スタックテーブルから削除する。上記２番目の送信が終了すると上記最初の送信に係る格納情報を送信制御部７５に渡し、上記最初の送信に係る格納情報を上記スタックテーブルから削除する。
【００４０】
中断情報付加部７６は、送信が中断された際と再開された際に上記画像データの受信者に送信の中断および再開を知らせるための情報を画像加工部２３を使用し画像データに付加する。例えば、送信中断による最後の送信ページの下部余白部分に図５（ａ）に示すようなメッセージを追加する。また、送信再開後の最初の送信ページの上部余白部分に図５（ｂ）に示すようなメッセージを追加する。ここで、文書番号とは送信中断前と送信再開後に同一番号を付することによりどの画像データの続きが送信されてきたかをユーザが認識するためのものである。
【００４１】
上記制御を行うために中断情報付加部７６は送信制御部７５から中断情報付加の指示、中断情報を付加すべきページのページ番号および中断する画像の画像データへのリンク情報を受け取り画像加工部２３に上記中断情報付加の指示を付加するページ番号および当該画像データのリンク情報とともに送信する。これにより画像加工部２３は指定されたページに中断情報を付加する画像加工を行う。この場合例えば送信中のページは画像メモリ２４から既にファクシミリ通信部６１に送信済みであるので送信制御部７５が中断指示部７１からの中断信号を受信した時点で送信中であるページの次のページを中断前の送信最終ページとするとよい。上記画像加工が終了した場合には画像加工が終了した旨の通知を画像加工部２３から送信制御部７５に行う。送信制御部７５はこれをもって上記中断前の送信最終ページの送信制御を行う。送信を再開する場合にも送信中断の場合と同様に中断情報付加部７６は送信制御部７５から中断情報付加の指示を再開ページおよび画像データへのリンク情報とともに受け画像加工部２３へ画像加工の指示を出し画像加工が終了すると終了した旨の通知が画像加工部２３から送信制御部７５へ送られる。
【００４２】
送信制御部７５は、送信の中断および再開を含む送信制御を行う。上記送信制御を分割すると、送信処理、送信中断処理、送信再開処理に分けられる。以下にそれぞれの処理について説明する。送信処理は、新たな送信に関する処理を行う。操作パネル部５１を使用してのユーザからの指示により送信相手先ＦＡＸ番号と送信指示が操作パネル部から送信制御部７５に送られてくると、これを契機に送信制御部７５では送信制御を開始する。
【００４３】
送信制御としてまず、送信制御部７５はスキャナ部１１に送信原稿の読み込みを指示する。これにより送信原稿は画像データとして画像メモリ２４に格納される。また、スキャナ部１１により送信原稿のページ情報も同時に取得される。本デジタル複合機１は読み込んだ画像データをメモリに取り込んでから送信するメモリ送信機能を有しているので読み込んだ送信原稿の枚数（ページ数）の情報を取得することが出来る。次に送信制御部７５は送信先ＦＡＸ番号と上記送信原稿の画像データへのリンク情報を関連付けて記憶する。次にファクシミリ通信部６１を使用して上記画像データを１ページごとに画像メモリ２４からファクシミリ通信部６１へ転送しながら上記ＦＡＸ番号のファクシミリ装置等へ上記画像データを送信する。これにより送信制御部７５は現在送信中の画像データのページを認識できる。
【００４４】
送信中断処理は、ユーザから送信中断が指示された場合に送信中の送信に対する送信中断処理を行う。送信制御部７５は中断指示部７１から中断信号を受信したらこれを契機として送信中断処理を開始する。送信中断指示は画像データの送信中のみ有効であるので、画像データが送信中でない場合に送信中断指示が行われた場合には当該指示を無視する。ここで送信中とは、ユーザにより最初の送信指示が行われてから当該送信が終了するまでの期間をいう。したがって、送信中でない場合とは、中断中の送信がなく全ての送信が終了している状態をいう。また、総送信原稿枚数が閾値未満である場合には中断を行わないので、総送信原稿枚数が閾値未満であって送信中断指示が行われた場合には総送信原稿枚数が閾値未満であるので中断は行わない旨を操作パネル部５１に表示し上記送信中の送信を続ける。
【００４５】
この制御を行うために送信制御部７５はスキャナ部１１から総送信原稿枚数を取得し、閾値設定部７３から閾値を取得する。次に、中断信号を中断指示部７１から受信した時点で次のページを画像メモリ２４からファクシミリ通信部６１に移すのを一旦停止し中断情報付加部７６に中断情報付加を指示する。中断情報付加が終了すると画像加工部２３から送信制御部７５に終了した旨が送信されるので送信制御部７５はこれを受け取ったら次のページの送信をファクシミリ通信部６１に指示しこのページを最後に送信を中断する。次に送信制御部７５は現在接続中の回線を切断し、切断した回線の上記ＦＡＸ番号と送信を中断した画像データへのリンク情報と送信を完了した最後のページ番号を中断ページ記憶部７４に送信し格納を指示する。
【００４６】
送信再開処理は、送信再開が指示された場合に中断中の送信に対する送信再開処理を行う。送信制御部７５は再開指示部７２から再開信号を受信したら送信再開処理を開始する。送信再開指示は中断された送信がある場合にのみ有効とする。再開される送信は、送信再開が指示されたときを基準として送信が完了していない送信で最後の中断に係る送信（中断ページ記憶部のスタックに最後に格納された送信）とする。送信再開が指示されたときに他の送信（中断ページ記憶部のスタックに格納されていない送信）が行われていた場合には当該他の送信が終了してから中断中の送信を再開する。
【００４７】
送信を再開する際には送信制御部７５は中断ページ記憶部７４から格納情報を取得し（中断ページ記憶部７４は最後に格納された格納情報を渡す）、中断情報の付加を中断情報付加部７６に指示する。この際には画像データのリンク情報と中断ページも一緒に渡す。画像加工が終了すると画像加工部２３から送信制御部７５に終了した旨が送信されるので送信制御部７５ではこれを受け取ったらファクシミリ通信部６１により再開画像データに係るＦＡＸ番号を使用して回線を接続し、上記中断ページの次ページの画像データから１ページごとに画像メモリ２４からファクシミリ通信部６１へ上記画像データを転送しながらファクシミリ通信部６１により上記回線に接続されたファクシミリ装置へ上記画像データを送信する。
【００４８】
次に図６のフローチャートに従い、例えば閾値を５０に設定し最初に送信先Ｘに１００枚の送信原稿Ａを送信し、送信原稿Ａの送信を中断して送信先Ｙに７０枚の送信原稿Ｂを送信し、さらに４０枚の送信原稿Ｃを送信先Ｚに送信する場合の上記デジタル複合機１における処理の流れを説明する。
【００４９】
Ｓ１０では、操作パネル部５１を使用してユーザが入力した情報に基づいて閾値設定部７３が上記閾値を設定する。ここでは例えば閾値として５０を設定する。Ｓ１０の処理は送信の条件の設定であるので、送信以前であればいつ設定されてもよい。Ｓ１２では、操作パネル部５１を使用してユーザが入力した情報に基づいて操作パネル部５１が一時的に送信相手先のＦＡＸ番号を記憶する。ここでは例えば送信先ＸのＦＡＸ番号ＸＸ−ＸＸＸＸ−ＸＸＸＸを入力する。頻繁に送る送信先の場合にはあらかじめＦＡＸ番号を登録しておいて原稿送信時に登録された一覧から選択することも出来る。この場合ＦＡＸ番号の入力操作が簡略される。
【００５０】
Ｓ１４では、操作パネル部５１を使用してユーザが入力した送信指示を上記操作パネル部５１が上記ＦＡＸ番号といっしょに送信制御部７５に送り、送信制御部７５は上記ＦＡＸ番号を記憶し、送信制御を開始する。Ｓ１６では、送信制御部７５から指示を受けスキャナ部１１が送信原稿Ａを読み取り、上記原稿内容を画像データとして画像メモリ２４に格納し、送信制御部７５は上記画像データへのリンク情報を上記ＦＡＸ番号と関連付けて送信制御部７５内に記憶する。
【００５１】
Ｓ１８では、上記スキャナ部１１は上記原稿の読み込みと同時に読み込んだ送信原稿の枚数（ここでは例えば１００枚）と読み込み順序に従った各ページのページ番号を取得する。Ｓ２０では、送信制御部７５は初期値として送信ページ番号ｎに１を代入する。これにより原稿の送信は１ページ目から開始される。Ｓ２２では、送信制御部７５の指示によりファクシミリ通信部６１が上記ＦＡＸ番号を使用して上記ＦＡＸ番号を有するファクシミリ装置等と回線を接続する。
【００５２】
Ｓ２４では、送信制御部７５の制御により上記送信ページ番号ｎに代入されている番号のページの画像データが画像メモリ２４からファクシミリ通信部６１に送られファクシミリ通信部６１により上記ページの画像データの送信が開始される。ここでは例えばｎ＝１であるので、１ページ目の送信が開始される。Ｓ２６は、ユーザからの中断要求として中断指示部７１から送信制御部７５に中断信号が受信されているか否かを送信制御部７５がチェックし、中断信号が受信されていなければ（Ｓ２６でＮＯ）、Ｓ２８へ進む。
【００５３】
Ｓ２８では、送信制御部７５はファクシミリ通信部６１からページ送信完了信号を受信したか否かをチェックすることによりｎページ目の送信が完了したか否かをチェックする。送信が完了していなければ（Ｓ２８でＮＯ）、Ｓ２６に戻り上記中断要求のチェック（Ｓ２６）と当該ｎページ目の送信完了のチェック（Ｓ２８）を繰り返す。ｎページ目の送信が終了するまでに中断要求がなければ（Ｓ２８でＹＥＳ）、Ｓ３０へ進む。Ｓ３０では、送信制御部７５は上記送信ページ番号ｎを総送信原稿枚数と比較し同じでなければ（Ｓ３０でＮＯ）、全てのページの送信はまだ完了していないということなので次のページの送信を行うために、Ｓ３２で、ｎを１繰り上げてＳ２４へ戻る。以下、中断要求を受信するまで順次各ページの送信が行われる。
【００５４】
中断要求を受信した場合には（Ｓ２６でＹＥＳ）、Ｓ３４へ進む。例えば、４８ページ目の送信途中に送信中断が指示されたとすると、ｎ＝４８のときのＳ２６で中断要求を受信したと判断され（Ｓ２６でＹＥＳ）、Ｓ３４へ進む。Ｓ３４では、送信制御部７５が総送信原稿枚数と上記閾値を比較し、上記総送信原稿枚数が上記閾値未満であれば（Ｓ３４でＮＯ）、送信中断を行わないのでＳ２８へ進み、上記Ｓ２６でＮＯの場合と同じ処理が行われる。上記総送信原稿枚数が上記閾値以上であれば（Ｓ３４でＹＥＳ）、Ｓ３６へ進む。ここでは例えば総送信原稿枚数が１００枚で閾値が５０であるので上記総枚数は上記閾値以上であると判断されＳ３６へ進む。
【００５５】
Ｓ３６では、送信制御部７５はファクシミリ通信部６１からの上記ページ送信完了信号の受信をチェックしｎページ目の送信が終了するまで待つ（終了していない場合はＳ３６のＮＯによりＳ３６を繰り返す）。ｎページ目の送信が終了したら（Ｓ３６でＹＥＳ）、Ｓ３８へ進む。Ｓ３８では、送信制御部７５の指示に従い中断情報付加部７６がｎ＋１ページ目に図４（ａ）に示す中断メッセージを付加することを画像加工部２３に指示し、画像加工部２３は上記画像加工を行う。
【００５６】
Ｓ４０では、送信制御部７５はｎ＋１ページの画像データを画像メモリ２４からファクシミリ通信部６１に送信しファクシミリ通信部６１により送信相手先ファクシミリ装置等に送信する。Ｓ４２では、送信制御部７５は現在の送信に係るＦＡＸ番号と画像データへのリンク情報と中断ページ番号としての現在のｎ＋１の値を中断ページ記憶部７４に送信し、中断ページ記憶部７４は上記格納データを格納する。ここでは例えば、図４の（１）に示すようにＦＡＸ番号ＸＸ−ＸＸＸＸ−ＸＸＸＸと上記画像へのリンク情報と中断ページ番号「４９」を中断ページ記憶部７４が格納する。Ｓ４４では送信制御部７５の指示によりファクシミリ通信部６１が接続中の回線を切断する。
【００５７】
回線が切断された後はユーザからの指示に基づく信号の受信を待つ。Ｓ４６では新たな送信の指示として送信先設定（Ｓ１２）と送信指示受信（Ｓ１４）があったか否かをチェックする。ここでＳ４６はＳ１２およびＳ１４を組み合わせた処理と同じであるがフロー記述の便宜上ここにＳ４６を別ステップとして設けた。新たな送信指示がなければ（Ｓ４６でＮＯ）、Ｓ４８へ進む。Ｓ４８ではユーザからの送信再開要求として再開指示部７２から送信制御部７５に再開信号が受信されているか否かを送信制御部７５がチェックし、再開信号が受信されていなければ（Ｓ４８でＮＯ）、Ｓ４６に戻り、新たな送信指示の受信（Ｓ４６）と送信再開指示の受信（Ｓ４８）のチェックが繰り返される。新たな送信指示が受信されたら（Ｓ４６でＹＥＳ）、Ｓ１２に戻って処理を行う。送信再開指示を受信したら（Ｓ４８でＹＥＳ）、Ｓ５０へ進む。
【００５８】
ここでは例えば新たに送信原稿Ｂの送信が指示されこの送信に対してＳ１２から処理が行われる。送信原稿Ｂの送信に対して例えば２１ページ目に中断が指示されたとすると上記送信原稿Ａの場合と基本的に同じ処理が行われ中断ページ記憶部７４には図４の（２）に示すようにＦＡＸ番号ＹＹ−ＹＹＹＹ−ＹＹＹＹと送信原稿Ｂの画像データへのリンク情報と中断ページ「２２」が記憶される。次に例えば送信原稿Ｃの送信が新たに開始された場合、上記送信原稿Ａと送信原稿Ｂの場合と基本的に同じ処理が行われる。しかし、例えば上記送信原稿Ｃに対しては送信中断がおこなわれないのでＳ３４でＹＥＳ分岐には進むことはなく、Ｓ３０で送信ページ番号ｎと送信原稿の総枚数が同じになるに至る。つまり送信原稿Ｃの送信が完了する（Ｓ３０でＹＥＳ）。この場合もＳ４６とＳ４８を繰り返し新たな送信指示の受信と中断中の送信再開指示の受信を待つ。ここでは例えば送信原稿Ａと送信原稿Ｂの送信が中断されているので送信再開指示をユーザが行うとＳ４８において、送信再開指示を受信したと判断されＳ５０に進む。
【００５９】
Ｓ５０では、送信制御部７５は中断ページ記憶部７４から格納情報を取り出し送信制御部７５内に記憶する。ここでは例えば送信原稿Ｂの格納情報が後に格納されたので送信原稿Ｂの格納情報が中断ページ記憶部７４から送信制御部７５に渡され送信制御部７５内に記憶される。中断ページ記憶部７４の中断ページ欄８３には中断前に送信完了された最後のページ番号が格納されているので送信ページ番号ｎの値は上記中断ページの値に１を加えた値とし、これを送信再開ページの番号とする。ここでは例えば、送信原稿Ｂに対してはｎは２３となる。
【００６０】
Ｓ５２では上記送信制御部７５の指示によりファクシミリ通信部６１が上記送信制御部７５に新たに格納されたＦＡＸ番号の回線への接続を行う。Ｓ５４では、送信制御部７５の指示に従い中断情報付加部７６が画像加工部２３に図４（ｂ）に示す再開メッセージをｎページに付加することを指示し、中断情報付加部７６は上記再開メッセージを付加する。この後Ｓ２４に戻って処理を行うことにより中断されていた送信が再開される。
【００６１】
Ｓ３０で送信ページ番号ｎと総送信枚数が同じであると判断されると（Ｓ３０でＹＥＳ）、Ｓ５６では、当該送信が割込み送信であるか否かが判断される。割込み送信であれば（Ｓ５６でＹＥＳ）、Ｓ４８に進み、中断中の送信の送信再開指示受信（Ｓ４８）または新たな送信指示受信（Ｓ４６）を待つ。割込み送信でなければ（Ｓ５６でＮＯ）、送信を終了する。
【００６２】
ここでは例えば、送信原稿Ｂの送信再開後に中断指示が行われることがなければ送信原稿Ｂの送信は完了し（Ｓ３０でＹＥＳ）、Ｓ４８に進むことにより今度は送信原稿Ａの送信が再開されＳ５６でＹＥＳに進み全送信が完了する。
【００６３】
このように本実施形態によれば画像データの送信中にユーザから指示があった場合は送信中の画像データの情報を記憶して送信を中断し回線を切断する。また、ユーザから指示があった場合に上記記憶した画像データの情報を使用して回線を接続し画像データの送信中断個所の次から送信を再開する。このため画像送信装置が１つの画像データの送信に長時間占有されてしまうことがなく、送信途中に他の送信を行う必要が生じた場合にも先の送信の途中で他の送信を行うことが出来る。
【００６４】
次に本発明の第２の実施形態を説明する。第１の実施形態では画像データの送信中断の再開をユーザからの指示により決定したが、本実施形態においては送信中断後に開始された送信（以下、割込送信という。）が完了したことをもって上記中断中の送信が自動的に再開される。本実施形態における構成及び処理の流れは第１の実施形態の場合と多くの部分が同一であるので以下では第１の実施形態と相違する部分に限って詳細に説明する。
【００６５】
上述したように本実施形態においては割込送信が完了したことをもって上記中断中の送信が自動的に再開されるが、ユーザが送信中断指示を行った後に新たな送信を行わず中断を取りやめたい場合のために第１の実施形態における再開指示の機能はそのまま残しておく。第１の実施形態における操作パネル部５１の送信再開ボタンは本実施例においては中断キャンセルボタンという名称にしてもよい。
【００６６】
本実施形態における機能ブロックは図３に示す第１の実施形態における機能ブロックと同一であるが、送信制御部７５は第１の実施形態と比較して若干の機能の違いを有する。第１の実施形態において送信制御部７５は画像データの送信が完了した時点で中断中の送信がある場合には送信再開指示または新たな送信の指示の入力待ち状態となったが本実施形態において送信制御部７５は画像データの送信が完了した時点で中断中の送信がある場合には上記中断中の送信を自動的に再開する。送信制御部７５のその他の制御は第１の実施形態の場合と同一である。
【００６７】
本実施形態における処理の流れは図６のフローチャートとほぼ同一であるが、本実施形態においてはＳ５６でＹＥＳの場合にＳ５０に進み、この点のみが第１の実施形態の場合（図６）と異なる。これにより割込送信が完了した場合で中断中の送信がある場合には自動的に中断中の送信が再開される。
【００６８】
このように本実施形態においては、割込送信が完了した場合に自動的に先の送信が再開される。このため、ユーザは送信再開の指示を本デジタル複合機に与える必要はないので、上記中断後の送信を開始した時点において本デジタル複合機１の操作を終えることができ、また割込送信の完了から先の送信の再開までの間に余分な時間が入ることもない。
【００６９】
次に本発明の第３の実施形態を図面を用いて説明する。本実施形態においては上記送信中断が指示される前にユーザにより送信中断時間が設定され、上記送信中断から上記送信中断時間経過後に上記送信が自動的に再開される。本実施形態においては割込送信を更に中断出来るようにすると再開される送信の順序に混乱をきたすと考えられるため割込送信は中断できないこととする。本実施形態における構成及び処理の流れは第２の実施形態の場合と多くの部分が同一であるので以下では第２の実施形態と相違する部分に限って詳細に説明する。
【００７０】
図７は図２に示す電気的構成のうち特にファクシミリ送信機能に係る部分である操作パネル部５１、スキャナ部１１、画像処理部２１、ファクシミリ通信部６１、および制御部４１と、本実施形態における上記制御部４１内のファクシミリコントローラ４３に係る機能構成を示すブロック図である。図３と比較して制御部４１内の機能ブロックとして中断時間設定部９１と中断時間測定部９２とが追加されている。
【００７１】
中断時間設定部９１は、ユーザが操作パネル部５１から入力した中断時間を表す数を操作パネル部５１から受け取り、送信制御部７５からの指示により上記中断時間を送信制御部７５に送信する。上記デジタル複合機１では、中断時間として例えば９９までの自然数を入力することが可能であり、上記入力された数字の単位は例えば分である。中断時間測定部９２は、送信制御部７５から測定開始指示を受信すると上記測定開始指示受信時点からの時間経過を測定する。また、送信制御部７５からの経過時間の問い合わせにより上記問い合わせ受信時点での上記経過時間を送信制御部７５に渡す。
【００７２】
送信制御部７５は、画像データの送信中断時に中断前の原稿最終ページの送信制御が完了したら中断時間測定部９２に上記経過時間測定としてのタイマーカウント開始を指示する。また、中断時間設定部９１から上記送信中断時間を取得し、定期的に上記タイマーカウントを中断時間測定部９２に追い合わせ、上記送信中断時間と上記タイマーカウントを比較する。上記タイマーカウントが上記送信中断時間以上であれば送信中断時間が経過したということであるので中断中の送信を再開する。送信制御部７５のその他の制御は第２の実施形態における場合と同一である。
【００７３】
図８のフローチャートは本実施形態における処理の流れを示す図である。図６と同一の処理には同じステップ番号が付されている。以下に本実施形態において新たに加えられた処理（図６にないステップ）について主に説明する。Ｓ６０では、操作パネル部５１を使用してユーザが入力した情報に基づいて中断時間設定部９１が上記送信中断時間を設定する。Ｓ６０の処理は送信中断の条件の設定であるので、送信中断要求（Ｓ２６）を行う以前であればいつ設定されてもよい。
【００７４】
Ｓ６２では、Ｓ２６の中断要求があった場合に送信中の送信が割込送信であるか否かをチェックし割込送信である場合には（Ｓ６２でＹＥＳ）、更なる中断は行わないのでＳ２８に進む。割り込み送信でなければ（Ｓ６２でＮＯ）、Ｓ３４に進み中断処理を続ける。Ｓ６４では、送信制御部７５は中断前の送信最終ページの送信制御が完了したことを契機に中断時間測定部９２にタイマーカウント開始指示を出す。中断時間測定部９２では送信制御部７５からタイマーカウント開始指示を受信するとタイマーカウントを開始する。
【００７５】
Ｓ６６では、送信制御部７５は中断時間設定部９１から上記中断時間を、中断時間測定部９２から上記タイマーカウントを取得し両者を比較する。上記タイマーカウントが上記送信中断時間未満であればＳ４６に戻り新たな送信指示（Ｓ４６）、送信再開指示（Ｓ４８）および送信中断時間の経過（Ｓ６６）のチェックを繰り返す。上記タイマーカウントが上記送信中断時間以上であればＳ５０に進む。これにより中断中に開始された送信が完了した場合でかつ上記送信中断時間が経過している場合には自動的に中断中の送信が再開される。
【００７６】
このように本実施形態においては、送信が中断されてから送信中断時間が経過した場合に自動的に先の送信が再開される。また、上記送信中断時間中には別の送信を行うことが出来る。ユーザは送信再開の指示を本デジタル複合機に与える必要はないので、上記中断後の送信を開始した時点において本デジタル複合機１の操作を終えることができ、また送信中断時間として十分な時間を指定することが出来るので上記送信中断時間に複数の画像データの送信を行うことができる。
【００７７】
第１、第２および第３の実施形態においては、中断メッセージを送信中断前の原稿最終ページおよび送信再開後の最初のページに付加したが、送信中断前の最終ページの後および送信再開後の最初のページの前に新たな中断メッセージ専用ページを付加して送信してもよい。また、本実施形態では、送信中断前と送信再開後に中断メッセージを付加して送信したが、送信中断前の中断メッセージのみを付加・送信してもよい。
【００７８】
第１および第２の実施形態では中断した送信の情報を中断ページ記憶部７４にスタック形式に記憶することにより後から中断した順に送信を再開したが、中断ページ記憶部７４の記憶手段をランダムアクセス形式のテーブルとしユーザが操作パネル部５１を使用して中断中の送信を選択することにより選択された送信を再開するようにしてもよい。
【００７９】
第３の実施形態において送信制御部７５は中断時間測定部９２がカウントして経過時間と中断時間設定部９１に設定されている送信中断時間を比較して送信中断時間が経過したことをチェックしたが、中断時間測定部９２が中断時間設定部９１から送信中断時間を取得し上記送信中断時間をカウントダウンすることにより上記送信中断時間を計測し上記送信中断時間が経過した旨を送信制御部７５に送信するようにしてもよい。
【００８０】
第３の実施形態においては送信中断時における割り込み送信については送信中断を行えないこととしたが、割り込み送信についても送信中断を行えるようにしてもよい。また、この場合に送信中断時間をそれぞれの送信について別の値を設定できるようにしてもよい。
【００８１】
上記の実施形態においてはユーザの再開指示による送信再開、割り込み送信終了時の自動再開、送信中断時間終了時の自動再開の三種類の送信再開方法を別々の実施形態として説明したが、上記三種類の送信再開方法を組み合わせて複数の送信再開方法を１つの実施形態で使用できるようにしてもよい。
【００８２】
第２の実施形態では１つの割り込み送信が終了したら自動的に中断中の送信を再開したが、ユーザが複数の割り込み送信数を指定して上記割り込み送信数の割り込み送信が終了した場合に自動的に中断中の送信が再開されるようにしてもよい。
【００８３】
【発明の効果】
請求項１に記載の発明によれば、画像データの送信中にユーザの指示により上記送信を中断することができ、中断した送信の中断ページを特定するための情報を記憶しているので中断後のページから送信を再開できる。これにより画像データの送信中で他の送信を行いたい場合に途中で送信を割り込ませることや、画像データの送信途中に他から送信された画像データを受信することが出来る。また、画像送信装置が空くのを待つ必要がない。一旦中断した送信の再開を行うことを忘れることがない。送信を再開する場合に再度送信先の指定や、原稿読み込みを行う必要がない。
【００８４】
請求項２に記載の発明によれば、ユーザが上記再開指示を行うことにより再開する時期を決定できるので、送信中断を行う期間をユーザが決定することが出来る。
【００８５】
請求項３に記載の発明によれば、上記送信中断時間が経過したときに送信が自動的に再開されるので、再開時にユーザが再開を指示する必要がない。
【００８６】
請求項４に記載の発明によれば、上記送信中断時間をユーザが設定できるので、ユーザの要求により適合した送信中断時間を設定できる。
【００８７】
請求項５に記載の発明によれば、上記送信中断後に開始された送信が終了したことを契機に上記中断中の送信が再開されるので、ユーザは送信再開時に送信の指示を与える必要がなく、かつ必要外の中断を行わないようにすることが出来る。
【００８８】
請求項６に記載の発明によれば、上記所定の枚数以下の送信原稿に対しては送信中断を行われないので、比較的少ない枚数で送信に長時間費やされることのない場合にまで送信中断が行われてしまうことがない。
【００８９】
請求項７に記載の発明によれば、上記所定の枚数をユーザが決定できるのでユーザの要求により適合した上記所定の枚数を設定することが出来る。
【００９０】
請求項８に記載の発明によれば、送信の中断が行われた場合に、画像データの受信者が上記中断を認識するための情報を本画像送信装置が送信するので、送信の中断により画像データが途中までしか送られてきていないことに対する受信者の混乱等を防ぐことが出来る。
【図面の簡単な説明】
【図１】本発明の一実施の形態による分割送信機能を用いたデジタル複合機の機械的構成を主に示す側面概略図である。
【図２】図１に示すデジタル複合機の電気的構成を主に示すブロック図である。
【図３】図２に示すブロック図のうち特にファクシミリ送信にかかるデジタル複合機の電気的構成と制御部内の機能構成を示すブロック図である。
【図４】中断ページ記憶部のスタックテーブルの例を示す図である。
【図５】中断メッセージの例として（ａ）は送信中断前のメッセージ、（ｂ）は送信再開後のメッセージの例を示す図である。
【図６】本デジタル複合機のファクシミリ送信時の処理の流れを示すフローチャートを示す図である。
【図７】図２に示すブロック図のうち特に第３の実施形態におけるファクシミリ送信にかかるデジタル複合機の電気的構成と制御部内の機能構成を示すブロック図である。
【図８】第３の実施形態における本デジタル複合機のファクシミリ送信時の処理の流れを示すフローチャートを示す図である。
【符号の説明】
１  デジタル複合機（画像送信装置）
１１  スキャナ部
２１  画像処理部
４１  制御部
５１  操作パネル部（中断指示手段、再開指示手段、閾値設定手段）
６１  ファクシミリ通信部
７１  中断指示部（中断指示手段）
７２  再開指示部（再開指示手段）
７３  閾値設定部（閾値設定手段）
７４  中断ページ記憶部（中断位置記憶手段）
７５  送信制御部（中断手段、再開手段、中断決定手段）
７６  中断情報付加部（中断情報付加手段）
９１  中断時間設定部（中断時間設定手段）
９２  中断時間測定部（中断時間測定手段）
【図１】
2004356826.tif 000003
【図２】
2004356826.tif 000004
【図３】
2004356826.tif 000005
【図４】
2004356826.tif 000006
【図５】
2004356826.tif 000007
【図６】
2004356826.tif 000008
【図７】
2004356826.tif 000009
【図８】
2004356826.tif 000010